(57)【要約】【課題】簡単な構造改良でありながら、寝返りを打っても肩部が容易に露出しないようにし、肩部の保温性を確保できるようにすること。【解決手段】身体に直接掛ける毛布であって、毛布１の頭部側が位置する上縁部２であって、身体に接する内側部１Ａに、首部３を除き、両隅部５・５に袋状を形成するように前記上縁部２から側縁部４に亘って逢着した実質的に三角形状の肩覆い６・６を、夫々設けてある。【選択図】      図１
0003103999.tif 000002
【実用新案登録請求の範囲】
【請求項１】
身体に直接掛ける毛布であって、
毛布１の頭部側が位置する上縁部２であって、身体に接する内側部１Ａに、首部３を除き、両隅部５・５に袋状を形成するように前記上縁部２から側縁部４に亘って逢着した実質的に三角形状の肩覆い６・６を、夫々設けてある、
毛布。
【請求項２】
前記毛布は、少なくとも身体に接する内側面が仕上げ加工されているマイヤー毛布である、
請求項１の毛布。
【請求項３】
前記毛布の外側部１Ｂに、滑り抵抗の大きなガーゼ布７Ａ・７Ｂを２層にして、キルティングにより逢着し、且つ、前記ガーゼ布７Ａ・７Ｂのうち、少なくとも毛布１側に位置するガーゼ布７Ｂに、抗菌剤が混入された顔料又は染料によるプリント８がなされてある、
請求項１又は請求項２の毛布。
【考案の詳細な説明】
【技術分野】
【０００１】  本考案は、毛布、例えば、マイヤー毛布等に適用できる毛布の改良に関する。
【技術背景】
【０００２】  毛布は、柔らかい性質故に身体に密着し、保温性に優れている点が特徴であり、更に、例えば、アクリル繊維等で織られたマイヤー毛布は、柄物、無地に関わらず、表裏共に起毛処理され、ポリッシュ仕上げされていて、その毛羽による柔らかな肌触りと高級感があることで、特に最近人気が出ている。また、この種の毛布は、通常、毛布を身体側に位置させ、布団をその上に載せる重ね敷きという状態で併用されるものである。そして、その布団として、羽毛布団も用いられる。
【０００３】  ところで、毛布の保温性に関し、通常の上向きに寝ている時には、その柔軟性故に、毛布は身体に密着し、充分な保温効果を発揮する。
しかし、人は必ず寝返りを打つものであり、上向き姿勢から横臥に移行するときに、図７に示す如く、肩から毛布１がズレ、肩が露出することになる。また、横向きとなったときに、背中側に空隙Ｓを形成することが多々あり、保温性が損なわれるという問題がある。１２は枕である。
【０００４】  この改善策として、襟元、肩部近傍の保温を図るために、種々の提案がなされている。
【特許文献１】  特開２００１−２１１９８０。ここでは、布団を構成する肌掛け布団を上掛け布団よりも長く構成し、その肌掛け布団を折り返して襟元、肩部を覆うようにしている。
【特許文献２】  実用新案登録第３０７４１９４号。ここでは、ドーム型のフレームを設けて頭部を覆い、これに布団を掛けることによって、頭部、顔、襟元の保温を図っている。
その他、通常矩形の毛布であるところ、首部接当部分を残し、その両側部を延長し、肩が露出しないようにしたものも提案されている。
【考案の開示】
【考案が解決しようとする課題】
【０００５】  上記肌掛け布団を長く構成するという提案では、通常の上向き寝姿においては充分に保温効果を発揮できるが、寝返りを打って横向き姿勢になったときに、毛布が肩からズレ、露出してしまうという問題点は依然として解消されないものであった。
また、ドーム型フレームを用いる場合には、フレームが頭部を覆い、且つその上に布団が被さるものであるから、威圧感が生じると共に寝返りに際してフレームに衝突し、危険性がある。また、ドーム型によるスペースは依然として残っているいものであるから、その空隙への空気流入は避けられず、保温性が損なわれる。
更に、毛布の首部接当部分を残して上縁を延長するような場合は、寝返りの度に、この延長部分が首に纏い付く虞があり、非常に危険である。【０００６】  本考案は、かかる問題点に鑑み、簡単な構造改良でありながら、寝返りを打っても肩部が容易に露出しないようにし、肩部の保温性を確保できるようにすることを目的とする。
【課題を解決するための手段】
【０００７】  本考案にかかる毛布は、上記課題を解決するために、身体に直接掛ける毛布であって、毛布１の頭部側が位置する上縁部２であって、身体に接する内側部１Ａに、首部３を除き、両隅部５・５に袋状を形成するように前記上縁部２から側縁部４に亘って逢着した実質的に三角形状の肩覆い６・６を、夫々設けてある、という手段を講じたものである。
【考案の効果】
【０００８】  本考案によれば、就寝中に寝返りを打った際に、肩部が、袋状となった三角形状の肩覆い６・６に嵌り込んでいるため、その状態のまま型覆い６・６と共に横向き姿勢に肩が移動し、その結果、肩部が毛布１から外れて露出してしまう虞がないのである。
これによって、頻繁な寝返りに際して肩部が露出し、身体が冷えて風を引いたりすることを未然に回避出来る利点がある。
【考案を実施するための最良の形態】
【０００９】  本考案の実施に際しては、前記毛布は、少なくとも身体に接する内側面が仕上げ加工されているマイヤー毛布であるのが好ましい。
マイヤー毛布は、起毛され、ポリッシュ加工されて、柔らかな毛羽（絵柄プリントもある）が特徴であるが、その優れた保温性が、前述の肩覆い６・６によって、より一層高められるのである。【００１０】  また、前記毛布の外側部１Ｂに、滑り抵抗の大きなガーゼ布７Ａ・７Ｂを２層にして、キルティングにより逢着し、且つ、前記ガーゼ布７Ａ・７Ｂのうち、少なくとも毛布１側に位置するガーゼ布７Ｂに、抗菌剤が混入された顔料又は染料によるプリント８がなされてあるのが好ましい。【００１１】  本考案の毛布として、ここではマイヤー毛布１を用いているが、一般の織り毛布であっても、本発明を適用できるものであり、その素材は天然、化繊、混紡適宜のものが用い得る。そして、毛布は単独で用いても、羽毛布団やその他の掛け布団を併用しても、発明の効果に変りはない。
また、前記首部３の箇所を凹部３Ａとして、直線状首部（従来一般の形状）よりも、肩部が僅かに深く被ることが出来るようにしておくことが好ましい。
【実施例】
【００１２】  本考案の実施例について、アクリル繊維を主体とし、絵柄がプリントされた一般のマイヤー毛布に適用して実施した場合について、図面を参照して詳述する。
図１は、身体に直接掛けるマイヤー毛布１の内側を示す全体の斜視図であり、図２は、マイヤー毛布１の外側を示す斜視図である。前記マイヤー毛布１の頭部側が位置する上縁部２であって、身体に接する内側部１Ａに、凹部３Ａを形成した首部３を除き、両隅部５・５に袋状を形成するように、前記上縁部２から側縁部４に亘って逢着した実質的に三角形状の肩覆い６・６を、夫々設けてある。このマイヤー毛布１は、その両面が起毛、ポリッシュ仕上げ等の所要の仕上げ加工が施されている。図１において、前記肩覆い６・６が袋状であることを解り易くするために、一方の肩覆い６を少し広げた状態で描いてある。【００１３】  そして、前記毛布の外側部１Ｂには、図３示す如く、滑り抵抗の大きなガーゼ布７Ａ・７Ｂを２層にして、キルティング１１（この実施例では縫い目が縦方向に走る）により逢着し、且つ、前記ガーゼ布７Ａ・７Ｂのうち、少なくとも毛布１側に位置するガーゼ布７Ｂに、抗菌剤が混入された顔料又は染料によるプリント８がなされてある。【００１４】  このガーゼ布７Ａ・７Ｂは、図４に示すように、その両者間においても滑り抵抗が生じるので、羽毛布団９が上側のガーゼ布７Ａを滑るように移動しようとすると、先ず、その上側のガーゼ布７Ａの抵抗に合い、この際、ガーゼ布７Ａが抵抗を受けて移動しようとしても、この下側のガーゼ布７Ｂが大きな抵抗を発揮して滑りを抑え、持ってマイヤー毛布１の外側部１Ｂに対する全体としての滑り抵抗が増すのである。【００１５】  前記ガーゼ布７Ａ・７Ｂが，インチ当たり５０本乃至２００本の糸による粗さに織られたものであるのが好ましいが、インチ当たり糸が１９０本前後のものが最も好ましい。また、前記滑り抵抗の大きな布としてガーゼ布を用いているが、これと均等性を有する布形態として、例えば、ブロード、ニット地が挙げられる。また、ガーゼ布は通常綿であるが、化繊との混紡でもよい。【００１６】  前記プリント８としては、抗菌剤が混入された顔料による絵柄のプリント１０がなされている。そして、この抗菌剤としては、抗菌作用の認められる香辛料である公知のペッパー（ファインペパー：商品名乃至商標名）を用いるのが好ましい。また、抗菌剤としては、その他、抗菌作用のある香辛料のほか、一般周知の抗菌、殺菌作用のある薬剤は勿論のこと、木炭、竹炭、椰子殻等の活性炭等で、抗菌、防カビ、防虫（忌避効果）、消臭効果のある周知の材料を使用してよいものである。【００１７】  上記肩覆い６・６は、肩が収まる大きさであれば適宜のサイズでよいが、この実施例では、マイヤー毛布１が、幅１４０ｃｍ、長さ２００ｃｍであるので、前記首部３の１０ｃｍを残して、その両側の６５ｃｍと、側部に６５ｃｍとした二等辺三角形の形状とし、その斜辺を残す周縁を逢着することで肩を入れる袋状としている。しかし、この肩覆い６の形状については、前記斜辺相当部が直線でなく、緩やかな円弧状に湾曲突出する形状であってもよく、肩が入った時に異物感等、寝心地が悪くならなければ、適宜の形状を用いて良い。また、この肩覆い６・６の素材としては、ここでは、本体と同じマイヤー毛布（両面仕上げしたもの）を適宜裁断して用いているが、別途、通常織り毛布、不織布、その他の��宜の厚手の生地を代用してもよい。【００１８】  図５に示すように、上向きに寝た状態において、肩部が前記肩被い６・６に入り、この状態で寝返りを打つと、図６に示すように、肩部が肩覆い６・６に入った状態で、横向き姿勢となるので、寝返りを打っても肩部がマイヤー毛布１から外れて露出することがないのである。
図中、１２は、枕である。
【産業上の利用可能性】
【００１９】  本考案の毛布は、それ自体単独で使用しても、肩の保温効果を維持できるものであり、マイヤー毛布のみならず各種の毛布に適用可能であり、また、羽毛布団や通常の掛け布団との併用にも、何等差し支えないものであるので、更なる保温効果を発揮出来る。また、構造上も危険性が無いので、子供、幼児等の毛布としても利用できる。
また、既存の毛布に肩覆いを逢着するだけで実施可能であるので、新たな特殊な毛布を製造するといったコスト高を避けることが出来て、安価に提供できる利点もある。
【図面の簡単な説明】
【００２０】
【図１】実施例の毛布の内側を示す斜視図である。
【図２】実施例の毛布の外側を示す斜視図である。
【図３】実施例の毛布の外側の一部切り欠き斜視図である。
【図４】実施例の毛布の要部の縦断側面図である。
【図５】実施例の毛布の使用状態を示す要部の縦断側面図である。
【図６】実施例の毛布の使用状態を示す要部の側面図である。
【図７】従来例の毛布の使用状態を示す要部の側面図である。
【符号の説明】
【００２１】１：毛布
１Ａ：内側部
２：上縁部
３：首部
４：側縁部
５：隅部
６：肩覆い
７Ａ：ガーゼ布７Ａ（外側）
７Ｂ：ガーゼ布７Ｂ（内側）
８：プリント
【図１】
0003103999.tif 000003
【図２】
0003103999.tif 000004
【図３】
0003103999.tif 000005
【図４】
0003103999.tif 000006
【図５】
0003103999.tif 000007
【図６】
0003103999.tif 000008
【図７】
0003103999.tif 000009